(57)【要約】【課題】自動車のヘッドライトの外観を容易かつ低価格で変更することができるようにすること。【解決手段】自動車１０３のヘッドライト１０１Ａの周囲に取り付ける周縁部１００Ａ−ａ、１００Ｂ−ａと、マツ毛部１００Ａ−ｂ、１００Ｂ−ｂと、により、自動車１０３のヘッドライト１０１Ａの外観を変更することができるようにしたことを特徴とするシート状部材１００Ａ、１００Ｂを提供する。【選択図】  図４
2004237837.tif 000002
【特許請求の範囲】
【請求項１】
自動車のヘッドライトの周囲に取り付けることにより、自動車のヘッドライトの外観を変更することができるようにしたシート状部材。
【請求項２】
前記シート状部材には、第一の自動車のヘッドライトの外観の一部が印刷されており、
前記シート状部材を第二の自動車のヘッドライトに接するようにして前記第二の自動車のヘッドライトの周囲に取り付けることにより、前記第二の自動車のヘッドライトの外観を前記第一の自動車のヘッドライトの外観に変更することを可能にする請求項１に記載のシート状部材。
【請求項３】
前記シート状部材には、第二の自動車のヘッドライトの形状に合わせて切り抜かれた切り抜き部が形成されており、
前記切り抜き部を前記第二の自動車のヘッドライトに合わせるようにして前記シート状部材を前記第二の自動車のヘッドライトの周囲に取り付けることにより、前記第二の自動車のヘッドライトの外観を前記第一の自動車のヘッドライトの外観に変更することを可能にしたことを特徴とする請求項２に記載のシート状部材。
【請求項４】
前記シート状部材は、自動車のヘッドライトが消灯している外観を印刷したものであることを特徴とする請求項２又は３に記載のシート状部材。
【請求項５】
前記シート状部材は、自動車のヘッドライトが点灯している外観を印刷したものであることを特徴とする請求項２又は３に記載のシート状部材。
【請求項６】
前記シート状部材は、自動車に対して着脱自在にされていることを特徴とする請求項１乃至５の何れか一項に記載のシート状部材。
【請求項７】
前記第一の自動車のヘッドライトの外観はカラー印刷されていることを特徴とする請求項１乃至６の何れか一項に記載のシート状部材。
【発明の詳細な説明】
【０００１】
【発明の属する技術分野】
本発明は、自動車の装飾用のシート状部材に関する。
【０００２】
【従来の技術】
自動車の外観を変更するため、特に、自動車のヘッドライトの外観を変更するために、従来は、図１３に表されているように、ヘッドライトの周囲に嵌め込むことが出来るような耐熱性樹脂からなる立体形状のヘッドライトカバー７２０Ａ、７２０Ｂを、図１４に表されているように、車７２１のヘッドライト７２２Ａ、７２２Ｂに取り付けることが行われていた。
【０００３】
【発明が解決しようとする課題】
しかしながら、車７２１のヘッドライト７２２Ａ、７２２Ｂにヘッドライトカバー７２０Ａ、７２０Ｂを取り付けたのでは、元の車７２１のヘッドライト７２２Ａ、７２２Ｂの大きさ・デザインに制限されて、大幅にそのデザインを変更すること、特に、他の車種のヘッドライトのデザインに変更することはできなかった。
【０００４】
また、耐熱性樹脂等でヘッドライトカバーを形成する場合には、型が必要となり、製造工程が多くなり、高コストとなる。
【０００５】
そこで、本発明は、自動車のヘッドライトの外観を容易かつ低コストで変更することができる自動車の装飾用のシート状部材を提供することを目的とする。
【０００６】
【課題を解決するための手段】
以上の課題を解決するため、本発明は、自動車のヘッドライトの周囲に取り付けることにより、自動車のヘッドライトの外観を変更することができるようにしたシート状部材を提供する。
【０００７】
一般的に、自動車のヘッドライトの外観は、車全体に及ぼすデザイン上の重要性が高く、自動車のヘッドライトの外観により、車全体の印象が大きく変わる。
【０００８】
したがって、このヘッドライト周囲にシート状部材を取り付けることにより、自動車のデザインを大幅に変えることができる。
【０００９】
ここで、シート状部材自体のデザインについては、このシート状部材を取り付ける車のデザインを考慮して、適時選択すればよいが、例えば、自動車のヘッドライトを動物の目に見立てて、眉やマツ毛のデザインを施したシート状部材や花弁をあしらったシート状部材を取り付けることにより、自動車のヘッドライトの外観を変更し、自動車のイメージを大幅に変更することができるようになる。
【００１０】
また、本発明は、第一の自動車のヘッドライトの外観の一部が印刷されているシート状部材であって、前記シート状部材を第二の自動車のヘッドライトに接するようにして前記第二の自動車のヘッドライトの周囲に取り付けることにより、前記第二の自動車のヘッドライトの外観を前記第一の自動車のヘッドライトの外観に変更することを可能にするシート状部材を提供する。
【００１１】
シート状部材に印刷されている第一の自動車のヘッドライトの外観の一部は、第二の自動車のヘッドライトの周囲に取り付けることにより、この第二の自動車のヘッドライトの外観を第一の自動車のヘッドライトの外観に変更することができるようなものである必要がある。
【００１２】
ここで、シート状部材は、第二の自動車のヘッドライトに接するように取り付けることで、第二の自動車のヘッドライトと連続し、第二の自動車のヘッドライトと一体となる。
【００１３】
なお、第一の自動車は、特定メーカーの特定の車種を選択してもよく、また、想像上のものであってもよい。
【００１４】
また、シート状部材は、第二の自動車のヘッドライトの形状に合わせて切り抜かれた切り抜き部を形成しておき、この切り抜き部を第二の自動車のヘッドライトに合わせるようにして、このシート状部材を第二の自動車のヘッドライトの周囲に取り付けることもできる。
【００１５】
なお、この切り抜き部をシート状部材のどの部分に設けるかは、このシート状部材を自動車に取り付けた場合のデザイン等を考慮して適時選択可能である。
【００１６】
また、シート状部材に印刷されるヘッドライトの外観は、消灯している状態のものであってもよく、また、点灯している状態のものであってもよく、ヘッドライトの印刷は、カラー印刷されたものであるのが望ましく、特に、点灯している状態のものの場合には、カラー印刷をすることにより、ヘッドライトが点灯している状態を忠実に表現することができる。
【００１７】
なお、シート状部材の素材についても、自動車のフロント部に取り付けることができる範囲で適時選択することができ、例えば、樹脂によりシート状部材を形成することができる。
【００１８】
さらに、このようなシート状部材を自動車に対して着脱自在、例えば、シート状の磁石で形成することにより、異なるデザインのものに容易に変更することができる。
【００１９】
【発明の実施の形態】
図１は、本発明の第一の実施形態に係るシート状部材１００の正面図である。
【００２０】
シート状部材１００は、向かって左側のヘッドライトの周囲に取り付ける第一のシート状部材１００Ａと、向かって左側のヘッドライトの周囲に取り付ける第二のシート状部材１００Ｂと、により構成され、第一のシート状部材１００Ａは、ヘッドライトの周縁を装飾する周縁部１００Ａ−ａと、マツ毛の形をあしらったマツ毛部１００Ａ−ｂと、により構成されており、第二のシート状部材１００Ｂも同様に、ヘッドライトの周縁に取り付ける周縁部１００Ｂ−ａと、マツ毛部１００Ｂ−ｂと、により構成されている。
【００２１】
シート状部材１００は、耐熱性樹脂により形成されており、接着材を用いて車に取り付けることができるようにしているが、例えば、シート状部材１００の裏面にシート状の磁石を取り付けておくことにより、このシート状部材１００を車に対して着脱自在に取り付けることができるようにすることもできる。
【００２２】
本実施形態では、丸形のヘッドライトの周縁を飾る周縁部１００Ａ−ａ、１００Ｂ−ａと、マツ毛の形状をあしらったマツ毛部１００Ａ−ｂ、１００Ｂ−ｂと、を用いて、車のヘッドライトを動物の目のような外観となるようにしているが、例えば、図２に表されているシート状部材２００ように、車のヘッドライトの周縁を飾る周縁部２００Ａ−ａ、２００Ｂ−ａと、眉毛の形をあしらった眉毛部２００Ａ−ｂ、２００Ｂ−ｂと、により構成して、車のヘッドライトを動物の目のような外観となるようにしてもよく、また、図３に表されているシート状部材３００のように、車のヘッドライトの周縁を飾る周縁部３００Ａ−ａ、３００Ｂ−ａと、花弁の形をあしらった花弁部３００Ａ−ｂ、３００Ｂ−ｂと、により構成して、車のヘッドライトを花の外観となるようにしてもよい。
【００２３】
以上のように構成されるシート状部材１００は、図４に表されているように、車１０３のヘッドライト１０１Ａの周囲に周縁部１００Ａ−ａ、１００Ｂ−ａを取り付け、この周縁部１００Ａ−ａ、１００Ｂ−ａから上方に突出するようにマツ毛部１００Ａ−ｂ、１００Ｂ−ｂを取り付けることにより、車１０３のヘッドライト１０１Ａの外観を人間の目のような外観になるように変更することができる。
【００２４】
図５は、本発明の第二の実施形態に係るシート状部材４００の正面図である。
【００２５】
シート状部材４００は、図６に表されているように、角形のヘッドライト１０１Ｂの向かって左側に接するように取り付ける第一のシート部材４００Ａと、向かって右側に接するように取り付ける第二のシート部材４００Ｂと、により構成されている。
【００２６】
シート状部材４００は、耐熱性樹脂により形成されており、その表面には自動車のヘッドライトの外観の一部がモノクロで印刷されている。
【００２７】
なお、本実施形態では、想像上の自動車のヘッドライトの外観の一部を印刷している。
【００２８】
このように構成されているシート状部材４００を、図６に示すように、自動車の角形のヘッドライト１０１Ｂの両サイドに接するように取り付けることで、シート状部材４００とヘッドライト１０１Ｂとが一体となっているように見え、ヘッドライト１０１Ｂのデザインが、両サイドに丸みを帯びたデザインとなったように見える。
【００２９】
なお、本実施形態では、角形のヘッドライト１０１Ｂを丸みを帯びたデザインに変更するようにシート状部材４００を形成したが、これに限られるわけではなく、例えば、図７に表されているように、角形のシート状部材５００Ａ、５００Ｂを角形のヘッドライト１０１Ｂに取り付けることで、ヘッドライト１０１Ｂのデザインを横方向に広がったデザインになるように変更することもできる。
【００３０】
なお、本実施形態では、接着剤を用いてシート状部材４００Ａ、４００Ｂをヘッドライト１０１の両サイドに取り付けるようにしているが、例えばシート状部材４００Ａ、４００Ｂの張り付け面を磁石により形成することにより、磁石の磁力で取り付けてもよい。
【００３１】
図８は、本発明の第二の実施形態に係るシート状部材６００の正面図である。
【００３２】
シート状部材６００は、向かって左側のヘッドライトに合わせて取り付けられる左側用シート状部材６００Ａと向かって右側のヘッドライトに合わせて取り付けられる右側用シート状部材６００Ｂとにより構成されている。
【００３３】
シート状部材６００は、耐熱性樹脂により形成されており、その表面には自動車のヘッドライトの外観の一部が印刷されている。
【００３４】
ここで、本実施形態では、図９に表されているドイツ国の「ドクトル  インジニール  ハー  ツエー  エフ  ポルシェ  アクチエンゲゼルシヤフト」の「ポルシェ９１１カレラ」という車種のヘッドライト６１０の外観の一部を印刷した。
【００３５】
また、本実施形態では、ヘッドライト６１０の消灯時の写真の一部をモノクロ印刷している。
【００３６】
なお、本実施形態とは異なり、点灯時のヘッドライトを印刷したものを用いることもできるが、この場合にはカラー印刷を用いることが望ましい。
【００３７】
シート状部材６００には、このシート状部材６００を取り付ける自動車のヘッドライトの形状に合わせて切り抜かれた切り抜き部６０２が形成されている。
【００３８】
本実施形態では、丸形のヘッドライトに合わせた形状の切り抜き部６０２が形成されている。
【００３９】
これは、図１０に表されているドイツ国の「フォルクスワーゲン  アクチエンゲゼルシャフト」の「ニュービートル」という車種のヘッドライト６０１の形状に合わせたものである。
【００４０】
この点、図１１に表されているように、他の車種用に角形のヘッドライトに合わせた形状の切り抜き部７０２を形成することもできる。
【００４１】
以上のように構成されるシート状部材６００は、図１２に表されているように自動車６０３（ここでは、「フォルクスワーゲン  アクチエンゲゼルシャフト」の「ニュービートル」で説明する。）に取り付けられる。
【００４２】
自動車６０３のヘッドライト６０１に、シート状部材６００Ａ、６００Ｂの切り抜き部６０２を合わせて、自動車６０３にシート状部材６００Ａ、６００Ｂを接着剤で取り付ける。
【００４３】
なお、本実施形態では、接着剤を用いてシート状部材６００Ａ、６００Ｂを自動車６０３に取り付けるようにしているが、例えばシート状部材６００Ａ、６００Ｂの張り付け面を磁石により形成することにより、磁石の磁力で自動車６０３に取り付けてもよい。
【００４４】
図１２のように、シート状部材６００Ａ、６００Ｂを自動車６０３に取り付けたので、シート状部材６００Ａ、６００Ｂに印刷されたヘッドライトの一部が、自動車６０３のヘッドライト６０１に連続して形成されているように見えるようになり、「フォルクスワーゲン  アクチエンゲゼルシャフト」の「ニュービートル」のヘッドライトの外観を「ドクトル  インジニール  ハー  ツエー  エフ  ポルシェ  アクチエンゲゼルシヤフト」の「ポルシェ９１１カレラ」のヘッドライトの外観へと容易かつ安価に変更することができる。
【００４５】
【発明の効果】
以上のように、本発明を構成したので、自動車のヘッドライトの外観を容易かつ低コストで変更することができる。
【図面の簡単な説明】
【図１】本発明の第一の実施形態に係るシート状部材１００の正面図。
【図２】シート状部材１００の変形例。
【図３】シート状部材１００の変形例。
【図４】シート状部材１００の使用例。
【図５】本発明の第二の実施形態に係るシート状部材４００の正面図。
【図６】シート状部材４００の使用例。
【図７】シート状部材４００の変形例。
【図８】本発明の第三の実施形態に係るシート状部材６００の正面図。
【図９】ポルシェ９１１カレラの外観図。
【図１０】ニュービートルの外観図。
【図１１】シート状部材６００の変形例。
【図１２】シート状部材６００の使用例。
【図１３】従来のヘッドライトカバー
【図１４】従来のヘッドライトカバーの取り付け例。
【符号の説明】
１００、２００、３００、４００、５００、６００、７００  シート状部材
１０１、３０１、６０１  ヘッドライト
６０２、７０２  切り抜き部
１０３、６０３  自動車
【図１】
2004237837.tif 000003
【図２】
2004237837.tif 000004
【図３】
2004237837.tif 000005
【図４】
2004237837.tif 000006
【図５】
2004237837.tif 000007
【図６】
2004237837.tif 000008
【図７】
2004237837.tif 000009
【図８】
2004237837.tif 000010
【図９】
2004237837.tif 000011
【図１０】
2004237837.tif 000012
【図１１】
2004237837.tif 000013
【図１２】
2004237837.tif 000014
【図１３】
2004237837.tif 000015
【図１４】
2004237837.tif 000016